(57)【要約】      （修正有）【課題】綴じ具を用いることなく見開くことができる防水に優れた防水性ホルダーを提供する。【解決手段】溶着性合成樹脂で成形され被収納物Ａ，Ｂを透視できる左右の収納袋部２，２どうしが、溶着性合成樹脂で成形された偏平且つ可撓性の連結部３で見開き可能に接合され、各収納袋部２と連結部３の境界に設けた縦ヒートシール部４で各収納袋部２の連結部側を水密状に閉塞し、各収納袋部２の連結部側と反対側の端部に形成した出入用縦開口部２ａに、水密状に閉塞できる開閉用ファスナー５を設け、開閉用ファスナー５で閉塞したとき収納袋部２の内側と外側を防水状態に遮断すること。【選択図】図１
0003110857.tif 000002
【実用新案登録請求の範囲】
【請求項１】
溶着性合成樹脂シートで成形され被収納物を透視できる左右の収納袋部どうしが、溶着性合成樹脂シートで成形された偏平且つ可撓性の連結部で見開き可能に接合され、各収納袋部と連結部の境界に設けた縦ヒートシール部で各収納袋部の連結部側を水密状に閉塞し、各収納袋部の連結部側と反対側の端部に形成した出入用縦開口部に、水密状に閉塞できる開閉用ファスナーを設け、開閉用ファスナーで閉塞したとき収納袋部の内側と外側を防水状態に遮断することを特徴とする防水性ホルダー。
【請求項２】
収納厚み代を開けて二本の前記縦ヒートシール部を設け、二本の縦ヒートシール部の間の前記連結部に見出し用差込み部を形成した請求項１記載の防水性ホルダー。
【考案の詳細な説明】
【技術分野】
【０００１】
本考案は、見開き可能な左右の収納袋部の各出入用縦開口部に開閉用ファスナーを設け、野外で携帯使用できるように防水性を備えたホルダーに関するものである。
【背景技術】
【０００２】
ホルダーには、一つの収納袋部の開口部を除く端縁を閉塞し、開口部に開閉用ファスナーを設け、開口部と反対側の端縁側に綴じ孔を開口したものがある（特許文献１）。そして、見開き可能なホルダーとする場合には、二個の上記ボルダーどうしを綴じ具で綴る必要がある。
【特許文献１】特開２００２−２９５４９公報
【考案の開示】
【考案が解決しようとする課題】
【０００３】
しかし、見開き可能なホルダーとする場合には、収納袋部の内外が綴じ孔を介して通じるために防水性に欠けると共に、綴じ具が嵩張って携帯に不便となる問題がある。
【０００４】
本考案は、上記問題を解決するために、綴じ具を用いることなく防水に優れた防水性ホルダーを提供することである。
【課題を解決するための手段】
【０００５】
綴じ具を用いることなく防水性に優れたものとするために請求項１記載の本考案が採用した手段は、溶着性合成樹脂シートで成形され被収納物を透視できる左右の収納袋部どうしが、溶着性合成樹脂シートで成形された偏平且つ可撓性の連結部で見開き可能に接合され、各収納袋部と連結部の境界に設けた縦ヒートシール部で各収納袋部の連結部側を水密状に閉塞し、各収納袋部の連結部側と反対側の端部に形成した出入用縦開口部に、水密状に閉塞できる開閉用ファスナーを設け、開閉用ファスナーで閉塞したとき収納袋部の内側と外側を防水状態に遮断することを特徴とする防水性ホルダーである。
【０００６】
収納した状態で左右の収納袋部どうしを合掌状態に閉じることができると共に閉じたときにも見出しが見えるようにするために請求項２記載の本考案が採用した手段は、収納厚み代を開けて二本の前記縦ヒートシール部を設け、二本の縦ヒートシール部の間の前記連結部に見出し用差込み部を形成した請求項１記載の防水性ホルダーである。
【考案の効果】
【０００７】
請求項１記載の本考案に係る防水性ホルダーは、収納物を収納した左右の収納袋部を合掌状態に閉じてコンパクトな状態で携帯できると共に、見開くことで左右の収納物を一覧することができ、更に、左右の収納袋部どうしを偏平且つ可撓性の連結部で見開き可能に接合しているので連結部で嵩張ることもなく、また、各収納袋部の両側が縦ヒートシール部及び開閉用ファスナーで水密状に閉塞するので防水性に優れている。
【０００８】
請求項２記載の本考案に係る防水性ホルダーは、収納厚み代を開けて二本の縦ヒートシール部を備えているので、収納した状態で左右の収納袋部どうしを円滑に合掌状態に閉じることができ、更に、二本の縦ヒートシール部の間の連結部に形成した見出し用差込み部に見出しを差し込むことで、本箱等に閉じた状態で立て掛けても容易に識別できるようになる。
【考案を実施するための最良の形態】
【０００９】
本考案に係る防水性ホルダーを図１及び図２に示す実施形態に基づいて説明する。防水性ホルダー１は、被収納物Ａ，Ｂを透視できる左右の収納袋部２，２と、偏平且つ可撓性の連結部３を備え、左右の収納袋部２，２どうしを連結部３で見開き可能に接合して、左右の収納袋部２，２及び連結部３を連ねて構成してある。各収納袋部２及び連結部３は、ポリプロピレン、ポリエチレン又は塩化ビニール等の透明性を有する熱溶着性合成樹脂シートで形成される。収納袋部２を形成する前後シート２ｃ，２ｂは、上下縁で連続的に連なっているか、上下縁がヒートシールで接合されている。
【００１０】
防水性ホルダー１は、各収納袋部２と連結部３の境界に設けた縦ヒートシール部４で各収納袋部２の連結部側を水密状に閉塞し、また、各収納袋部２の連結部側と反対側の端部に形成した出入用縦開口部２ａに、水密状に閉塞できる開閉用ファスナー５を設けてある。防水性ホルダー１は、収納厚み代Ｗ（図１（Ｂ）参照）を開けて二本の縦ヒートシール部４，４を設け、二本の縦ヒートシール部４，４の間の連結部３に見出し用差込み部３ａを形成してある。見出し用差込み部３ａは、上下の両方又は一方に開口部を設け、開口部を介してシート状の見出しを差し込むことができるようになっている。
【００１１】
前記開閉用ファスナー５は、収納袋部２を形成する前後各シート２ｃ，２ｂの相対面にそれぞれ接着或いは溶着され、凹状レール５ａ及びこれに沿って嵌まる凸状レール５ｂとからなる公知のものを用いて構成される。これにより、ファスナー５は、前後各シート２ｃ，２ｂを相互に密着させるように指先で外側から押圧力を付与することにより閉じて、相互に嵌合して開口部２ａの閉塞状態を維持するようになっている。
【００１２】
防水性ホルダー１の製造は、一つの偏平なチューブ状の熱溶着性合成樹脂シートで前記左右の収納袋部２，２と連結部３を連続状に連ねた状態に形成し、その後にヒートシーラ装置で二本の縦ヒートシール部４，４を設ける場合と、別個の左右の収納袋部２，２の延長部どうしを重ね合わせ、重ね合わせた部分にヒートシーラ装置で二本の縦ヒートシール部４，４を設けて接合し、二本の縦ヒートシール部４，４の間に連結部３を形成する場合がある。
【００１３】
防水性ホルダー１を使用する場合は、左右の収納袋部２，２の内側に地図や解説書等の一枚又は複数枚を重ねてなる収納物Ａ，Ｂを収納し、開閉用ファスナー５，５を閉じて各収納袋部２の開口部２ａを閉塞状態にし、左右の収納袋部２，２，を合掌状態に閉じてコンパクトな状態で携帯し、また、左右の収納袋部２，２，を見開くことで収納物Ａ，Ｂを一覧できる。防水性ホルダー１は、左右の収納袋部２，２どうしを偏平且つ可撓性の連結部３で見開き可能に接合して連ねているので、連結部３で嵩張ることもなく、また、各収納袋部２の両側を縦ヒートシール部４と開閉用ファスナー５で水密状に閉塞するので防水性に優れており、雨天の野外で使用することも可能になる。
【００１４】
防水性ホルダー１は、連結部３に形成した見出し用差込み部３ａにシート状の見出し（図示略）を差し込んでおくことで、使用後に本箱等へ閉じた状態で立て掛けても見出しで容易に識別できる。
【図面の簡単な説明】
【００１５】
【図１】本考案に係る防水性ホルダーの実施の形態を示すものであって、（Ａ）は左右の収納袋部を開いている途中の状態を示す斜視図、（Ｂ）は左右の収納袋部を開くと共に左側の開閉用ファスナーを閉じ、右側の開閉用ファスナーを開いた状態を示す平面断面図である。
【図２】同実施の形態を示すものであって、収納物を収納した左右の収納袋部を閉じた状態を拡大し且つ中間省略して示す平面断面図である。
【符号の説明】
【００１６】
１…防水ホルダー、２…収納袋部、２ａ…出入用縦開口部、３…連結部、４…縦ヒートシール部、５…開閉用ファスナー
【図１】
0003110857.tif 000003
【図２】
0003110857.tif 000004